(57)【要約】【課題】コネクタハウジングの少なくとも一部に端子の千鳥状配列が設けられている場合においても、各端子を適正に規制した状態で端子の圧入作業を適正に行い得るようにする。【解決手段】コネクタ１の少なくとも一部に端子３の千鳥状配列部５が設けられたコネクタ１の端子３の先端部を、基板に形成された挿通孔に圧入する端子圧入装置において、コネクタハウジング２の横方向Ｙに沿って各端子３間に導入されることによりその縦方向変位を着せするガイド部２２が設けられた第１端子規制部材１５と、コネクタハウジング２の縦方向Ｘに沿って各端子３間に導入されることによりその横方向変位を規制するガイド部が設けられた第２端子規制部材とを有し、上記端子３の千鳥状配列部５に位置する第１端子規制部材１５のガイド部２２の先端部に、内奥側の端子３Ａが導入されるガイド溝２３を設けた。【選択図】  図７
2004273214.tif 000002
【特許請求の範囲】
【請求項１】
コネクタハウジングに複数本の端子が突設されるとともに、コネクタハウジングの横方向における端子の配列位置が千鳥状に設定された端子の千鳥状配列部を有するコネクタの端子を、基板に形成された挿通孔に圧入する作業を行う端子圧入装置であって、コネクタハウジングの横方向に沿って各端子間に導入されることによりその縦方向変位を規制するガイド部が設けられた第１端子規制部材と、その上方または下方においてコネクタハウジングの縦方向に沿って各端子間に導入されることによりその横方向変位を規制するガイド部が設けられた第２端子規制部材とを有し、上記端子の千鳥状配列部に位置する第１端子規制部材のガイド部の先端部に、コネクタハウジングの内奥側に配列された端子が導入されるガイド溝を設けたことを特徴とする端子圧入装置。
【請求項２】
各端子に設けられた膨出部の下端面と、第１端子規制部材を構成するガイド部の上端面とを相対向する位置に配設し、端子の圧入時に、上記膨出部の下面をガイド部の上端面に当接させることにより、各端子の下方への変位を規制するように構成したことを特徴とする請求項１記載の端子圧入装置。
【発明の詳細な説明】
【０００１】
【発明の属する技術分野】
本発明は、コネクタハウジングに突設された端子の先端部を、基板に形成された挿通孔に圧入することにより、上記端子と基板とを接続する際に使用される端子圧入装置に関するものである。
【０００２】
【従来の技術】
従来、例えば特許文献１に示されるように、ピン状の端子（基板用接続片）がマトリックス状に突設された基板用コネクタを基板に搭載する際に、列方向に並ぶピン状の端子をガイドするガイド溝が列間ピッチと同間隔で列数だけ形成されている第１の櫛刃状端子整列板をコネクタの基板当接面と近接する位置で装着した後、行方向に並ぶ端子をガイドするガイド溝が行間ピッチと同間隔で行数だけ形成されている第２の櫛刃状端子整列板を上記第１の櫛刃状端子整列板の表面近傍に装着し、第２の櫛刃状端子整列板の表面から突出する上記端子の先端と基板の挿通孔（スルーホール）とでコネクタを基板に仮搭載せしめ、第１，第２櫛刃状端子整列板を除去した後に上記コネクタを基板側に押圧することにより、このコネクタを基板に搭載することが行われている。
【０００３】
【特許文献１】
特開平７−６５９２９号公報
【０００４】
【発明が解決しようとする課題】
上記のようにコネクタハウジングに突設されたピン状の端子を、上記第１，第２櫛刃状端子整列板により規制した状態で、基板に形成された挿通孔に上記端子の先端部を圧入するように構成した場合には、この端子が微細で曲がりや倒れ等の変形が生じ易い場合においても、特別な修正工数を必要とすることなく、上記コネクタを基板に搭載できるという利点がある。しかし、コネクタの列方向に延びる複数本のラインと、行方向に延びる複数本のラインとの交点上に複数個の端子が設置されてなるマトリックス状配置でなければ、上記第１，第２櫛刃状端子整列板の櫛刃による端子の位置決め機能が充分に発揮されず、端子の変形を効果的に防止することができないという問題がある。
【０００５】
すなわち、レイアウト上の理由によりコネクタの端子が千鳥状に配列されている場合には、第１櫛刃状端子整列板の櫛刃と、第２櫛刃状端子整列板の櫛刃との何れか一方を、上記端子の設置領域に真っ直ぐに導入することができないため、上記端子の先端部を基板の挿通孔に圧入する作業を行う際に、端子の位置決めを正確に行うことができず、端子の先端部を基板の挿通孔に適正に圧入することが困難であるという問題がある。特に、端子を基板の挿通孔に圧入するだけで、はんだ付けを要することなく、端子と基板とを接続することが可能ないわゆるプレスフィットコネクタにおいては、上記挿通孔に端子を圧入する際に、極めて大きな圧接力が必要であるため、端子の位置決めが不充分であると、端子に曲がりや倒れ等の変形が生じ易いという問題がある。
【０００６】
本発明は、上記の点に鑑みてなされたものであり、コネクタハウジングに突設された端子の少なくとも一部が千鳥状に配列されている場合においても、各端子を適正に規制した状態で、基板の挿通孔に対する端子の圧入作業を適正に行うことができる端子圧入装置を提供することを目的としている。
【０００７】
【課題を解決するための手段】
上記の課題を解決するため、本発明は、コネクタハウジングに複数本の端子が突設されるとともに、コネクタハウジングの横方向における端子の配列位置が千鳥状に設定された端子の千鳥状配列部を有するコネクタの端子を、基板に形成された挿通孔に圧入する作業を行う端子圧入装置であって、コネクタハウジングの横方向に沿って各端子間に導入されることによりその縦方向変位を規制するガイド部が設けられた第１端子規制部材と、その上方または下方においてコネクタハウジングの縦方向に沿って各端子間に導入されることによりその横方向変位を規制するガイド部が設けられた第２端子規制部材とを有し、上記端子の千鳥状配列部に位置する第１端子規制部材のガイド部の先端部に、コネクタハウジングの内奥側に配列された端子が導入されるガイド溝を設けたものである。
【０００８】
上記構成によれば、第１端子規制部材のガイド部を、上記千鳥状配列部の外方側に配列された端子の間に導入する操作に応じ、その内奥側に配列された端子が上記ガイド溝内に導入されることになり、各端子の縦方向への変位が、上記ガイド部の基端部および先端部によりそれぞれ規制される。この状態で、上記第２端子規制部材のガイド部を、コネクタハウジングの縦方向に沿って端子の設置部に導入することより、各端子の水平方向への変位が上記第１，第２端子規制部材のガイド部により効果的に規制されることになる。
【０００９】
また、各端子に設けられた膨出部の下端面と、第１端子規制部材を構成するガイド部の上端面とを相対向する位置に配設し、端子の圧入時に、上記膨出部の下面をガイド部の上端面に当接させることにより、各端子の下方への変位を規制するように構成することが好ましい。
【００１０】
上記構成によれば、端子の先端部を基板の挿通孔に圧入する作業を行う際に、上記膨出部の下面が上記ガイド部の上端面に当接して各端子の下方への変位が規制されることにより、端子の座屈変形が効果的に防止されることになる。
【００１１】
【発明の実施の形態】
図１は、本発明に係る端子圧入装置により基板に圧入される端子を備えたコネクタ１の全体構成を示し、図１の（Ａ）はコネクタ１の正面図、（Ｂ）はコネクタ１の左側面断面図、（Ｃ）はコネクタ１の底面図である。このコネクタ１は、全体が略直方体状に形成された合成樹脂製のコネクタハウジング２と、このコネクタハウジング２に突設された複数本のピン状の端子３とを備えている。
【００１２】
本実施形態では、端子３が、コネクタハウジング２から水平に突設された基端部３ｄと、この基端部３ｄの先端部から上方に突設された起立部とによりＬ字状に形成されるとともに、上記端子３の先端部（起立部の上端部）がコネクタハウジング２の上方に突出した状態で設けられている。また、上記端子３の先端部には、図２（Ａ），（Ｂ）に示すように、後述の基板に形成された挿通孔に圧入される弾性変形可能な圧入部３ａが設けられるとともに、この圧入部３ａの下方には、端子３の左右に突出する膨出部３ｂが設けられている。
【００１３】
上記コネクタハウジング２の大部分の領域には、図１および図３に示すように、コネクタハウジング２の縦方向（長手方向）Ｘに沿って延びる端子設置ラインと、上記縦方向Ｘと直交する横方向Ｙに沿って延びる端子設置ラインとの交点上に各端子３がそれぞれ配設されることにより、複数個の端子３が一定間隔で平行に配列された端子３のマトリックス状配列部４が設けられている。
【００１４】
また、上記コネクタハウジング２の残りの領域には、その前面側（外方側）に設置された３個の端子３Ａと、その後方側（内奥側）に設置された２個の端子３Ｂとが千鳥状に配列された端子３Ａ，３Ｂの千鳥状配列部５が設けられている。すなわち、コネクタハウジング２の内奥側に配列された２個の端子３Ｂが、上記端子３Ａの配列ピッチの半分に相当する距離だけ、コネクタハウジング２の縦方向Ｘにオフセットした位置に配設されることにより、コネクタハウジング２の横方向Ｙにおける上記端子３Ａ，３Ｂの配列位置が千鳥状に設定されている。
【００１５】
図４は、上記コネクタハウジング２に接続されるプリント基板等からなる基板６の概略構成を示し、この基板６の一端部側には、コネクタハウジング２の上方に突設された各端子３の先端部が圧入される複数個の挿通孔６ａが、上記各端子３の配列位置に対応して形成されている。また、上記基板６の他端部側には、左右一対の位置決め孔６ｂが形成されている。
【００１６】
また、図５および図６は、本発明に係る端子圧入装置の実施形態を示している。この端子圧入装置には、上記コネクタハウジング２および基板６をそれぞれ位置決めした状態で支持する支持テーブル７と、上面に設けられた左右一対ガイドレール８に沿って上記支持テーブル７を前後方向にスライド可能に支持するベースプレート９と、このベースプレート９の奥側部に立設された左右一対の昇降バー１０と、この昇降バー１０に沿って昇降可能に支持された押圧プレート１１と、この押圧プレート１１を手動操作により押し下げる操作ハンドル１２を備えた昇降駆動機構１３とが設けられている。なお、上記昇降駆動機構１３に、電動駆動部、空気圧駆動部もしくは油圧駆動部を設け、スイッチ操作に応じて上記押圧プレート１１を自動的に昇降させるように構成することも可能である。
【００１７】
上記支持テーブル７には、コネクタハウジング２が載置される載置板７ａと、この載置板７ａ上に載置されたコネクタハウジング２の側端面が押し当てられることにより、コネクタハウジング２の横方向Ｙの位置決めを行う位置決め用ストッパー１４と、上記載置板７ａの奥側に設置された第１端子規制部材１５と、支持テーブル７の一側辺部において左右方向にスライド自在に設置された第２端子規制部材１６と、上記コネクタハウジング２の後面部に圧接されるクランプ部材１７と、このクランプ部材１７を支持テーブル７の奥側に向けて押動してコネクタハウジング２を保持するコネクタ保持機構機構１８とが設けられている。
【００１８】
また、支持テーブル７には左右一対の位置決め孔１９が形成され、後述する端子３の圧入時に、昇降駆動機構１３に設けられた位置決めピン（図示せず）が、上記位置決め孔１９に挿入されることにより、上記押圧プレート１１と支持テーブル７との位置合わせが行われるように構成されている。さらに、上記支持テーブル７の奥側部分には、基板６を位置決めした状態で保持する基板保持部２０が設置され、かつ支持テーブル７の手前側端部には、スライド操作用の取手２１が取り付けられている。
【００１９】
上記第１端子規制部材１５は、図７および図８に示すように、コネクタハウジング２の縦方向Ｘに一定間隔で配列されるとともに、コネクタハウジング２の横方向Ｙに向けて突設された複数枚のガイド部２２を有している。各ガイド部２２は、それぞれ上記縦方向Ｘに配列された相隣接する端子３間に導入し得る厚さを有するプレート材からなり、その上端面と各端子３に設けられた膨出部３ｂの下端面とが相対向する位置に配設されている。
【００２０】
上記第１端子規制部材１５のガイド部２２は、後述するコネクタハウジング２の保持操作に応じ、その横方向Ｙに沿って端子３の設置領域に導入されるように構成されている。そして、各端子３の起立部（膨出部３ｂの下方部分）が上記ガイド部２２に当接することにより、各端子３の縦方向Ｘへの変位が規制されるとともに、端子３の先端部を基板６の挿通孔６ａに圧入する際に、各端子３の膨出部３ｂが上記ガイド部２２の上面に当接することにより、各端子３の下方への変位が規制されるようになっている。さらに、上記ガイド部２２には、その先端部を各端子３間に導入する際にガイド面となる先窄まりのテーパ面２２ａが形成されている。
【００２１】
上記端子３Ａ，３Ｂの千鳥状配列部５に位置するガイド部２２のうち、コネクタハウジング２の前面側に配列された端子３Ａの間に導入されるガイド部２２の前端部には、上下方向に延びる所定幅のガイド溝２３が形成され、このガイド溝２３内に上記端子３Ａの後方側に配列された端子３Ｂの起立部（膨出部３ｂの下方部分）が導入されるようになっている。
【００２２】
上記第２端子規制部材１６は、図９および図１０に示すように、コネクタハウジング２の縦方向Ｘに沿って延びるとともに、コネクタハウジング２の横方向Ｙに一定間隔で設置され複数本のガイド部２５を有する櫛状のプレート材からなり、上記支持テーブル７の一側辺部に設けられた支持機構２４によって上記コネクタハウジング２の縦方向Ｘにスライド可能に支持されている。そして、上記第２端子規制部材１６のガイド部２５は、上記第１端子規制部材１５の上面およびコネクタハウジング２の縦方向Ｘに沿って端子３の設置領域に導入されることにより、各端子３の先端部近傍、つまり各端子３の圧入部３ａに相当する部分に当接して各端子３の横方向Ｙへの変位を規制するように構成されている。
【００２３】
上記第２端子規制部材１６の支持機構２４は、支持テーブル７の一側辺部に立設された支持ブラケット２６と、この支持ブラケット２６から外方側に向けて水平に突設された上下一対のガイドバー２７と、このガイドバー２７に沿ってスライド自在に支持されたスライドブロック２８とを有し、このスライドブロック２８の上面に上記第２端子規制部材１６の基端部が取り付けられている。そして、上記スライドブック２８をガイドバー２７に沿って水平にスライド変位させることにより、上記第２端子規制部材１６を、図９に示すように支持テーブル７の外方側に退避した待機位置から、図１０に示すように、上記ガイド部２５により端子３の横方向変位を規制した規制位置に移動させるようになっている（図１３参照）。
【００２４】
また、上記コネクタ保持機構１８は、図１１に示すように、クランプ部材１７に突設された駆動軸２９と、この駆動軸２９をスライド自在に支持する支持筒３０と、上記駆動軸２９を支持筒３０から出入させることによりクランプ部材１７を前後に移動させる操作レバー３１とを有している。そして、上記載置板７ａ上にコネクタハウジング２を載置するとともに、その側端部を位置決め用ストッパー１４に当接させて左右方向に位置決めした状態で、上記操作レバー３１を操作して駆動軸２９を前方側に押動することにより、上記コネクタハウジング２の後面にクランプ部材１７が圧接された状態で係止されるようになっている。
【００２５】
また、上記クランプ部材１７を介してコネクタハウジング２が支持テーブル７の奥側部に押動されることにより、図８に示すように、第１端子規制部材１５の各ガイド部２２が、コネクタハウジング２の横方向Ｙに沿って端子３の設置領域に導入されるとともに、図１１に示すように、上記コネクタハウジング２が支持テーブル７の略中央部上において位置決めされた状態で保持されることになる。
【００２６】
上記基板保持部２０は、図１１および図１２に示すように、支持テーブル７の奥側端部に設けられたスライド支持部３２により昇降可能に支持された左右一対の支柱３３と、この支柱３３の上端部間に架け渡された昇降フレーム３４と、この昇降フレーム３４に突設された左右一対のアーム３５と、上記昇降フレーム３４に固定された左右一対の位置決めピン３６とを有している。そして、基板６を上記基板保持部２０に保持させる際に、この位置決めピン３６が基板６の位置決め孔６ａに挿入されることにより、基板６の水平方向における位置決めが支持テーブル７上において行われるように構成されている。
【００２７】
上記支柱３３には、昇降フレーム３４を上方に付勢する圧縮コイルばね３７が外嵌されるとともに、支持テーブル７の下面側において、磁石３９を有する係止プレート３８が支柱３３の下端部に固定されている。上記昇降フレーム３４および位置決めピン３６は、通常時に上記圧縮コイルばね３７の付勢力に応じて図１２の（Ａ）に示す上方の基板セット位置に係止されている。後述する圧入操作時には、上記押圧プレート１１から付与される押し下げ力に応じ、上記圧縮コイルばね３７の付勢力に抗して上記支柱３３および係止プレート３８が下降するとともに、これに対応して支持テーブル７の下方に設置された磁性体からなる保持板４０に上記磁石板３９が吸着することにより、図１２の（Ｂ）に示す下降位置に、上記昇降フレーム３４および位置決めピン３６が保持されるようになっている。
【００２８】
上記のように構成された圧入装置を用いて端子３の先端部を基板６の挿通孔６ａに圧入することにより、コネクタ１に基板６を接続するには、まず図１１に示すように、コネクタハウジング２を、支持テーブル７の載置板７ａ上に載置するとともに、コネクタハウジング２の一端部を位置決め用ストッパー１４に当接させた状態で、上記コネクタ保持機構１８を操作してコネクタハウジング２の後面部にクランプ部材１７を押し当てることにより、上記コネクタハウジング２を支持テーブル７上の略中央部において位置決めした状態で保持する。
【００２９】
このコネクタハウジング２の保持操作に応じ、上記端子３のマトリックス状配列部４では、第１端子規制部材１５のガイド部２２が、コネクタハウジング２の横方向Ｙに沿って後方側に導入され、上記ガイド部２２により各端子３の縦方向変位が規制された状態となる。また、上記端子３Ａ，３Ｂの千鳥状配列部５では、図８に示すように、第１端子規制部材１５の各ガイド部２２が、コネクタハウジング２の前方側に位置する端子３Ａに沿って後方側に導入されるとともに、これに対応してガイド部２２の先端部に形成されたガイド溝２３内に、コネクタハウジング２の後方側に位置する端子３Ｂが導入され、上記ガイド部２２およびガイド溝２３により各端子３Ａ，３Ｂの縦方向変位がそれぞれ規制された状態となる。
【００３０】
次いで、図９に示す退避位置にある第２端子規制部材１６を、図１３に示すように、支持テーブル７の中央部側にスライド変位させることにより、第２端子規制部材１６のガイド部２５を、コネクタハウジング２の横方向Ｙに沿って端子３の設置部に導入することにより、各端子３の横方向変位が上記ガイド部２５によって規制された状態となる（図１０参照）。このようにして第１端子規制部材１５のガイド部２２および第２端子規制部材１６のガイド部２５により、コネクタハウジング２の上方に突出した各端子３が正確に位置決めされた状態で、コネクタハウジング２が支持テーブル７上に保持されることになる。
【００３１】
そして、上記基板保持部２０に設けられ位置決めピン３６が基板６の位置決め孔６ｂに挿入されるように基板６を位置合わせしつつ、図１４に示すように、上記挿通孔６ａの設置部を上記コネクタハウジング２の保持部に載置することにより、コネクタハウジング２の上方に突出した端子３の先端部を上記挿通孔６ａ内に仮挿入して位置決めした状態で、基板６を基板保持部２０に保持させる。
【００３２】
上記のようにしてコネクタ１および基板６を支持テーブル６に保持させた状態で、上記スライドバー２７に沿ってスライドブロック２８を支持テーブル７の外方側にスライド変位させることにより、上記第２端子規制部材１６による端子３の規制状態を解除する。また、上記支持テーブル７に設けられた取手２１を持ち、ガイドレール８に沿って支持テーブル７をベースプレート９の奥側にスライド変位させることにより、図１５に示すように、ベースプレート９の奥側部に設けられた圧入位置に上記支持テーブル７を移動させる。上記ベースプレート９の奥側端部に設けられられたストッパー４１（図５参照）に当接するまで、上記支持テーブル７をスライド変位させることにより、上記圧入位置に支持テーブル７がセットされることになる。
【００３３】
そして、上記昇降駆動機構１３の操作ハンドル１２を操作し、図１６に示すように、押圧プレート１１を押し下げることにより、この押圧プレート１１を上記基板６の上面に圧接させて基板６を下方に付勢し、端子３の先端部に設けられた圧入部３ｂを基板６の挿通孔６ａに圧入する。この圧入操作に応じ、上記基板６とコネクタ１とが接続されるとともに、上記昇降フレーム３４、支柱３３および係止板３８が下降し、磁石板３９が保持板４０に吸着することにより、昇降フレーム３４上の基板６がコネクタ１に連結された状態に保持される（図１２の（Ｂ）参照）。
【００３４】
上記圧入操作が終了すると、昇降駆動機構１３に設けられた復帰ばねの付勢力等に応じて押圧プレート１１を上方の待機位置に上昇させるとともに、上記支持テーブル７を手前に引き出すようにスライド変位させる。そして、図１７に示すように、上記コネクタ保持機構機構１８によるコネクタハウジング２の保持状態を解除するとともに、一体に連結されたコネクタ１および基板６を支持テーブル７から取り外した後、アーム３５を上方に持ち上げ、あるいは図外のガイド部を上記アーム３５に当接させて昇降フレーム３４、支柱３３および係止プレート３８を上昇させることにより、上記磁石板３９による昇降フレーム３４の保持状態を解除する。この結果、上記昇降フレーム３５は、圧縮コイルばね３７の付勢力に応じて上方の基板セット位置に復帰することになる。
【００３５】
上記のようにコネクタハウジング２に突設された端子３の先端部を、基板６に形成された挿通孔６ａに圧入する作業を行う端子圧入装置において、コネクタハウジング２の横方向Ｙに沿って各端子３間に導入されることにより各端子３の縦方向変位を規制するガイド部２２が設けられた第１端子規制部材１５と、その上方においてコネクタハウジング２の縦方向Ｘに沿って各端子３間に導入されることより各端子３の横方向変位を規制するガイド部２５が設けられた第２端子規制部材１６とを有し、上記端子３Ａ，３Ｂの千鳥状配列部５に位置する第１端子規制部材１５のガイド部２２の先端部に、コネクタハウジング２の内奥側に位置する端子３Ｂが導入されるガイド溝２３を設けたため、上記千鳥状配列部５に設置された各端子３Ａ，３Ｂに沿ってガイド部材を真っ直ぐに導入することができない場合においても、上記千鳥状配列部５に位置する各端子３Ａ，３Ｂを正確に位置決めした状態で、その先端部を基板６の挿通孔６ａに圧入する作業を適正に行うことができる。
【００３６】
すなわち、上記第１端子規制部材１５のガイド部２２の先端部に所定幅のガイド溝２３を設けたため、図８に示すように、上記ガイド部２２をコネクタハウジング２の外方側に配列された端子３Ａ間に導入するのに応じ、上記端子３Ａの後方側に配列された端子３Ｂを上記ガイド溝２３内に導入させることができる。このようにして上記ガイド部２２が外方側の端子３Ａ間に導入されるとともに、上記ガイド溝３３内に内奥側の端子３Ｂが導入される際に、各端子３Ａ，３Ｂの曲がり等を修正することができるとともに、各端子３Ａ，３Ｂの縦方向Ｘへの変位を、上記ガイド部２２の基端部および先端部によりそれぞれ効果的に規制することができる。
【００３７】
このため、上記第１端子規制部材１５のガイド部２２を、コネクタハウジング２の横方向Ｙに沿って端子３の設置領域に導入して各端子３の縦方向変位を規制するとともに、第２端子規制部材１６のガイド部２５を、コネクタハウジング２の縦方向Ｘに沿って端子３の設置領域に導入して各端子３の縦方向変位を規制することにより、端子３が傾斜したり、折れ曲がったりする等の弊害を生じるのを防止しつつ、各端子３をそれぞれ正確に位置決めすることができる。したがって、大きな圧入力を必要とするプレスフィットコネクタにおいても、上記端子３が折れ曲がる等の変形を生じることなく、上記基板６の挿通孔６ａに端子３の先端部を容易かつ確実に圧入してコネクタ１の端子３と基板６とを接続する作業を適正に行うことができる。
【００３８】
なお、各端子３に設けられた膨出部３ｂの下端面と、上記第１端子規制部材１５を構成するガイド部２２の上端面とを相対向する位置に配設し、端子３の圧入時に、上記膨出部３ｂの下面を上記ガイド部２２の上端面に当接させることにより各端子３の下方への変位を規制するように構成された上記実施形態に代え、コネクタハウジング２に突設された端子３の基端部３ｄの下方に導入される段部を上記第１端子規制部材１５に設け、この段部よって上記端子３の下方への変位を規制するように構成してもよい。
【００３９】
上記のように第１端子規制部材１５に設けられた段部により端子３の下方への変位を規制するように構成した場合には、端子３の先端部を基板６の挿通孔６ａに圧入する際に、端子３の起立部に作用する押圧荷重に応じて端子３に座屈変形が生じ易い傾向がある。このため、図８に示すように、各端子３に設けられた膨出部３ｂの下端面と、第１端子規制部材１５を構成するガイド部２２の上端面とを相対向する位置に配設し、上記膨出部３ｂの下面をガイド部２２の上端面に当接させて各端子３の下方への変位を規制することにより、端子３を座屈変形させる荷重が上記起立部に作用するのを抑制し得るように構成することが好ましい。
【００４０】
なお、上記実施形態では、コネクタハウジング２の横方向Ｙに２列の端子３Ａ，３Ｂが配列された千鳥配列部５を有するコネクタ１について説明したが、第１端子規制部材１６のガイド部２２に形成されるガイド溝２３の溝深さ（コネクタハウジング２の横方向長さ）を、２列以上の端子３の配列間隔に対応した値に設定することにより、コネクタハウジング２の横方向Ｙに３列以上の端子が千鳥状に配列されたコネクタについても本発明を適用可能である。
【００４１】
また、本発明に係る端子圧入装置は、コネクタハウジング２の前面部から前方に突設された基端部３ｄと、その前端部から上方に延びる起立部とによりＬ字状に形成された端子３を有するコネクタ１に限られず、コネクタハウジング２から上方に向けて直線状に突設された端子を有するコネクタについても適用することができる。さらに、上記コネクタハウジング２の全領域に端子の千鳥状配列部５が設けられたコネクタについても本発明を適用できることは勿論である。
【００４２】
また、上記第１端支持部材１５のガイド部２２の上方に第２端子支持部材１６のガイド部２５に設置してなる上記実施形態に代え、第２端子支持部材１６のガイド部２５の上方に第１端支持部材１５のガイド部２２を設置した構成としてもよい。
【００４３】
【発明の効果】
以上説明したように、本発明は、コネクタハウジングに複数本の端子が突設されるとともに、コネクタハウジングの横方向における端子の配列位置が千鳥状に設定された端子の千鳥状配列部を有するコネクタの端子を、基板に形成された挿通孔に圧入する作業を行う端子圧入装置であって、コネクタハウジングの横方向に沿って各端子間に導入されることによりその縦方向変位を規制するガイド部が設けられた第１端子規制部材と、その上方または下方においてコネクタハウジングの縦方向に沿って各端子間に導入されることによりその横方向変位を規制するガイド部が設けられた第２端子規制部材とを有し、上記端子の千鳥状配列部に位置する第１端子規制部材のガイド部の先端部に、コネクタハウジングの内奥側に配列された端子が導入されるガイド溝を設けたため、上記千鳥状配列部に位置する各端子を正確に位置決めした状態で、端子の突出方向が傾斜する等の弊害を生じることなく、上記基板の挿通孔に端子の先端部を圧入する作業を適正に行うことができるという利点がある。
【図面の簡単な説明】
【図１】端子が突設されコネクタの具体的構成を示す説明図である。
【図２】端子の具体的構成を示す説明図である。
【図３】端子の配列状態を示す斜視図である。
【図４】端子および基板の全体構成を示す斜視図である。
【図５】本発明に係る端子圧入装置の全体構成を示す斜視図である。
【図６】本発明に係る端子圧入装置の要部を示す斜視図である。
【図７】第１端子規制部材の具体的構成を示す斜視図である。
【図８】第１端子規制部材を端子の設置部に導入した状態を示す説明図である。
【図９】第２端子規制部材の具体的構成を示す斜視図である。
【図１０】第２端子規制部材を端子の設置部に導入した状態を示す説明図である。
【図１１】支持テーブル上にコネクタを保持させた状態を示す斜視図である。
【図１２】基板保持部の具体的機構成を示す説明図である。
【図１３】コネクタを位置決めした状態を示す斜視図である。
【図１４】基板を仮係止した状態を示す斜視図である。
【図１５】支持テーブルを圧入位置に移動させた状態を示す斜視図である。
【図１６】端子の圧入位置に押圧板を押し下げた状態を示す斜視図である。
【図１７】基板およびコネクタを圧入装置から取り外した状態を示す斜視図である。
【符号の説明】
１  コネクタ
２  コネクタハウジング
３  端子
３ｂ  膨出部
５  端子の千鳥状配列部
１５  第１端子規制部材
１６  第２端子規制部材
２２  第１端子規制部材のガイド部
２３  ガイド溝
２５  第２端子規制部材のガイド部
【図１】
2004273214.tif 000003
【図２】
2004273214.tif 000004
【図３】
2004273214.tif 000005
【図４】
2004273214.tif 000006
【図５】
2004273214.tif 000007
【図６】
2004273214.tif 000008
【図７】
2004273214.tif 000009
【図８】
2004273214.tif 000010
【図９】
2004273214.tif 000011
【図１０】
2004273214.tif 000012
【図１１】
2004273214.tif 000013
【図１２】
2004273214.tif 000014
【図１３】
2004273214.tif 000015
【図１４】
2004273214.tif 000016
【図１５】
2004273214.tif 000017
【図１６】
2004273214.tif 000018
【図１７】
2004273214.tif 000019